(57)【要約】  冷却システム１Ａは、内燃機関１０と、ポンプ３１と、ラジエータ３２と、主通路部４１と、スターリングエンジン２０と、主通路部４１から第１の接続地点Ｐ１で分岐するとともに、スターリングエンジン２０を介して、主通路部４１のうち、第１の接続地点Ｐ１よりも下流側の部分に第２の接続地点Ｐ２で合流する分岐通路部４３と、サーモスタット３３と、を備え、主通路部４１のうち、ラジエータ３２とポンプ３１との間の部分に第１の接続地点Ｐ１と第２の接続地点Ｐ２とを設けるとともに、主通路部４１のうち、第１の接続地点Ｐ１と第２の接続地点Ｐ２との間の部分に、サーモスタット３３を介在させるようにして設けている。
2012108030.tif 000002
【特許請求の範囲】
【請求項１】
冷却媒体を流通させる内燃機関と、
前記内燃機関に冷却媒体を圧送するポンプと、
前記内燃機関を流通した冷却媒体を冷却するラジエータと、
前記ラジエ−タから前記ポンプを介して前記内燃機関に冷却媒体を流通させる主通路部と、
冷却媒体を流通させるスターリングエンジンと、
前記主通路部から第１の接続地点で分岐するとともに、前記スターリングエンジンを介して、前記主通路部のうち、前記第１の接続地点よりも下流側の部分に第２の接続地点で合流する分岐通路部と、
前記主通路部を流通する冷却媒体の流通抵抗として作用する抵抗部と、を備え、
前記主通路部のうち、前記ラジエータと前記ポンプとの間の部分に前記第１の接続地点と前記第２の接続地点とを設けるとともに、前記主通路部のうち、前記第１の接続地点と前記第２の接続地点との間の部分に、前記抵抗部を介在させるようにして設けている冷却システム。
【請求項２】
請求項１記載の冷却システムであって、
前記ラジエータをバイパスさせるようにして、前記内燃機関を流通した冷却媒体を流通させるバイパス通路部をさらに備え、
前記抵抗部が、前記ラジエータに冷却媒体を流通させる場合と、前記バイパス通路部に冷却媒体を流通させる場合との間で、冷却媒体の流量の割合を調節することで、前記内燃機関に流通させる冷却媒体の温度を調節可能なバイパス弁付きサーモスタットである冷却システム。
【請求項３】
請求項１記載の冷却システムであって、
前記抵抗部が、流通する冷却媒体の流量の絞り度合いを変更可能な可変絞り弁である冷却システム。
【請求項４】
請求項１から３いずれか１項記載の冷却システムであって、
前記分岐通路部が形成する通路の断面積が、前記主通路部が形成する通路の断面積よりも小さく設定されている冷却システム。
【請求項５】
請求項１から４いずれか１項記載の冷却システムであって、
前記抵抗部を含み、前記内燃機関の運転状態に応じて、前記内燃機関に流通させる冷却媒体の流量と、前記スターリングエンジンに流通させる冷却媒体の流量との割合を変更可能な流量割合変更部をさらに備える冷却システム。
【発明の詳細な説明】
【技術分野】
【０００１】
本発明は冷却システムに関し、特に内燃機関とスターリングエンジンとを備える冷却システムに関する。
【背景技術】
【０００２】
内燃機関およびスターリングエンジンに共通の冷却媒体を流通させる技術が知られている。特許文献１では、冷却回路を備える水冷式内燃機関と、冷却回路を循環する冷却水により作動ガスを冷却する冷却器を備えるスターリング機関とを備える動力装置が開示されている。このほか構成上、本発明と関連性があると考えられる技術が例えば特許文献２から４で開示されている。
【先行技術文献】
【特許文献】
【０００３】
【特許文献１】特開２００５−９０３７６号公報
【特許文献２】特開２００７−１２０３１２号公報
【特許文献３】特開２００５−２４８９３２号公報
【特許文献４】特開２０００−７３７６３号公報
【発明の概要】
【発明が解決しようとする課題】
【０００４】
内燃機関およびスターリングエンジンに共通の冷却媒体を流通させる場合、冷却媒体を圧送するポンプや、冷却媒体を冷却するラジエータを共通化することができる。そしてこれにより、コスト面で有利な構成とすることができる。共通の冷却媒体を流通させるには、内燃機関に冷却媒体を流通させる主通路部に対し、分岐後、再び合流する分岐通路部を設けるとともに、分岐通路部にスターリングエンジンを介在させるようにして設けることができる。【０００５】
ところがこの場合、主通路部のうち、分岐通路部が分岐する部分よりも後の部分、且つ分岐通路部が合流する部分よりも前の部分を流通する冷却水の流通抵抗が小さいと、分岐通路部に冷却媒体が流通し難くなる。結果、スターリングエンジンの実効的な冷却を確保できないことがある。また、スターリングエンジンでは低温熱源と高温熱源の温度差が大きい場合ほど大きな出力を得られる一方で、大きな出力を取り出すことが必ずしも容易ではない。このため、実効的な冷却を確保するにあたっては、可能な限り温度が低い冷却媒体をスターリングエンジンに流通させることが望ましい。そして、例えばこれらの点で、内燃機関およびスターリングエンジンに共通の冷却媒体を好適に流通させることが可能な技術が望まれる。【０００６】
本発明は上記課題に鑑み、内燃機関およびスターリングエンジンに共通の冷却媒体を好適に流通させることが可能な冷却システムを提供することを目的とする。
【課題を解決するための手段】
【０００７】
本発明は冷却媒体を流通させる内燃機関と、前記内燃機関に冷却媒体を圧送するポンプと、前記内燃機関を流通した冷却媒体を冷却するラジエータと、前記ラジエ−タから前記ポンプを介して前記内燃機関に冷却媒体を流通させる主通路部と、冷却媒体を流通させるスターリングエンジンと、前記主通路部から第１の接続地点で分岐するとともに、前記スターリングエンジンを介して、前記主通路部のうち、前記第１の接続地点よりも下流側の部分に第２の接続地点で合流する分岐通路部と、前記主通路部を流通する冷却媒体の流通抵抗として作用する抵抗部と、を備え、前記主通路部のうち、前記ラジエータと前記ポンプとの間の部分に前記第１の接続地点と前記第２の接続地点とを設けるとともに、前記主通路部のうち、前記第１の接続地点と前記第２の接続地点との間の部分に、前記抵抗部を介在させるようにして設けている冷却システムである。【０００８】
また本発明は前記ラジエータをバイパスさせるようにして、前記内燃機関を流通した冷却媒体を流通させるバイパス通路部をさらに備え、前記抵抗部が、前記ラジエータに冷却媒体を流通させる場合と、前記バイパス通路部に冷却媒体を流通させる場合との間で、冷却媒体の流量の割合を調節することで、前記内燃機関に流通させる冷却媒体の温度を調節可能なバイパス弁付きサーモスタットである構成とすることができる。【０００９】
また本発明は前記抵抗部が、流通する冷却媒体の流量の絞り度合いを変更可能な可変絞り弁である構成とすることができる。【００１０】
また本発明は前記分岐通路部が形成する通路の断面積が、前記主通路部が形成する通路の断面積よりも小さく設定されている構成とすることができる。【００１１】
また本発明は前記抵抗部を含み、前記内燃機関の運転状態に応じて、前記内燃機関に流通させる冷却媒体の流量と、前記スターリングエンジンに流通させる冷却媒体の流量との割合を変更可能な流量割合変更部をさらに備える構成とすることができる。
【発明の効果】
【００１２】
本発明によれば、内燃機関およびスターリングエンジンに共通の冷却媒体を好適に流通させることができる
【図面の簡単な説明】
【００１３】
【図１】実施例１の冷却システムの概略構成図である。
【図２】実施例２の冷却システムの概略構成図である。
【図３】実施例３の冷却システムの概略構成図である。
【図４】冷却水の第１の流通態様を示す図である。
【図５】冷却水の第２の流通態様を示す図である。
【図６】冷却水の第３の流通態様を示す図である。
【図７】スターリングエンジン入口の冷却水の温度と内燃機関の負荷との関係を示す図である。
【発明を実施するための形態】
【００１４】
図面を用いて、本発明の実施例について説明する。
【実施例１】
【００１５】
図１は冷却システム１Ａの概略構成図である。冷却システム１Ａは、内燃機関１０と、スターリングエンジン２０と、ポンプ３１と、ラジエータ３２と、サーモスタット３３とを備えている。また、主通路部４１と、バイパス通路部４２と、分岐通路部４３とを備えている。これら通路部４１、４２、４３は配管であり、冷却媒体である冷却水を流通させる通路を形成している。通路部４１、４２、４３に沿った矢印は冷却水の流通方向を示す。【００１６】
内燃機関１０は水冷式の内燃機関であり、冷却水を流通させる。ポンプ３１は冷却水を圧送する。ラジエータ３２は流通する冷却水と空気との間で熱交換を行い、冷却水を冷却する。サーモスタット３３は内燃機関１０に流通させる冷却水の温度を調節する。サーモスタット３３は冷却水の温度に応じて作動する機械式の弁となっている。【００１７】
内燃機関１０、ポンプ３１、ラジエータ３２およびサーモスタット３３は、主通路部４１に介在させるようにして設けられている。主通路部４１は、ポンプ３１が圧送する冷却水を内燃機関１０、ラジエータ３２およびサーモスタット３３の順に流通させ、その後、ポンプ３１に戻す循環経路を形成している。【００１８】
したがって、ポンプ３１は内燃機関１０に冷却水を圧送する。また、ラジエータ３２は内燃機関１０を流通した冷却水を冷却する。そして、主通路部４１はラジエ−タ３２からポンプ３１を介して内燃機関１０に冷却水を流通させる。ポンプ３１は内燃機関１０に設けられており、内燃機関１０の動力で駆動する機械式のポンプとなっている。ポンプ３１は電動ポンプであってもよい。【００１９】
バイパス通路部４２は主通路部４１に対して設けられている。バイパス通路部４２はラジエータ３２をバイパスする経路を形成している。このため、バイパス通路部４２はラジエータ３２をバイパスさせるようにして、内燃機関１０を流通した冷却水を流通させる。【００２０】
サーモスタット３３は主通路部４１とバイパス通路部４２との合流地点に設けられている。サーモスタット３３は具体的には、ラジエータ３２に冷却水を流通させる場合と、バイパス通路部４２に冷却水を流通させる場合との間で、冷却水の流量の割合を調節することで、内燃機関１０に流通させる冷却水の温度を調節可能なバイパス弁付きサーモスタットとなっている。【００２１】
冷却水の流量の割合を調節するにあたり、サーモスタット３３は内燃機関１０の冷間始動後、暖機が完了するまでの間、すなわち冷却水温が適温（例えば８０℃）になるまでの間は、ラジエータ３２に冷却水を流通させないように作動する。また、暖機完了後は、内燃機関１０に流通させる冷却水の温度が高くなる場合（例えば内燃機関１０の負荷が高い場合）ほど、ラジエータ３２に流通させる冷却水の流量の割合を大きくするように作動する。サーモスタット３３は内燃機関１０の冷間始動後、暖機が完了するまでの間、ラジエータ３２に冷却水を少量流通させるように作動してもよい。【００２２】
分岐通路部４３は主通路部４１に対して設けられている。分岐通路部４３には、スターリングエンジン２０を介在させるようにして設けている。分岐通路部４３が形成する通路の断面積は、主通路部４１が形成する通路の断面積よりも小さく設定されている。具体的には、分岐通路部４３が形成する通路の径が、主通路部４１が形成する通路の径よりも小さく設定されている。【００２３】
分岐通路部４３は、主通路部４１から第１の接続地点Ｐ１で分岐するとともに、スターリングエンジン２０を介して、主通路部４１のうち、第１の接続地点Ｐ１よりも下流側の部分に第２の接続地点Ｐ２で合流している。分岐通路部４３は、第１の接続地点Ｐ１で分岐することで、ラジエータ３２で冷却された冷却水が直接的に流通するようになっている。【００２４】
接続地点Ｐ１、Ｐ２は、主通路部４１のうち、ラジエータ３２とポンプ３１との間の部分に設けられている。これに対し、サーモスタット３３は主通路部４１のうち、接続地点Ｐ１、Ｐ２間の部分に介在させるようにして設けられている。このように設けられたサーモスタット３３は、主通路部４１を流通する冷却水の流通抵抗として作用する抵抗部に相当する。【００２５】
スターリングエンジン２０は冷却器２０ａと加熱器２０ｂとを備えている。スターリングエンジン２０は冷却水を流通させる。具体的には冷却器２０ａに冷却水を流通させる。冷却器２０ａは冷却水と作動流体との間で熱交換を行い、作動流体を冷却する。一方、加熱器２０ｂは作動流体と内燃機関１０の排気ガスとの間で熱交換を行い、作動流体を加熱する。【００２６】
スターリングエンジン２０において、冷却水はスターリングエンジン２０の低温熱源を構成し、排気ガスはスターリングエンジン２０の高温熱源を構成する。このため、冷却器２０ａを流通する冷却水の温度を低下させるほど、低温熱源と高温熱源との温度差を拡大できる。したがって、冷却器２０ａを流通する冷却水の温度を低下させることで、スターリングエンジン２０の出力を高めることができる。【００２７】
次に冷却システム１Ａの作用効果について説明する。冷却システム１Ａは、接続地点Ｐ１、Ｐ２を主通路部４１のうち、ラジエータ３２とポンプ３１との間の部分に設けている。また、流通抵抗として作用するサーモスタット３３を主通路部４１のうち、接続地点Ｐ１、Ｐ２間の部分に介在させるようにして設けている。また、分岐通路部４３を第１の接続地点Ｐ１で分岐させている。【００２８】
このため、冷却システム１Ａはポンプ３１の作動のみで接続地点Ｐ１、Ｐ２間に圧力差を生じさせることができる。そしてこれにより、分岐通路部４３に冷却水を流通させることができる。また、冷却システム１Ａは、冷却システム１Ａを流通する冷却水の中で、最も温度が低くなっている状態の冷却水をスターリングエンジン２０に流通させることができる。このため、冷却システム１Ａはスターリングエンジン２０の実効的な冷却を確保できる点で、内燃機関１０およびスターリングエンジン２０に共通の冷却水を好適に流通させることができる。【００２９】
冷却システム１Ａは、内燃機関１０に流通させる冷却水の温度を調節するために一般に用いられるサーモスタット３３を抵抗部としている。このため、冷却システム１Ａはコスト面で有利な構成とすることができる点でも、冷却水を好適に流通させることができる。【００３０】
冷却システム１Ａでは、サーモスタット３３が、ラジエータ３２に冷却水を流通させる場合と、ラジエータ３２に流通させる冷却水をバイパスさせる場合との間で、冷却水の流量の割合を調節する。この点、サーモスタット３３は内燃機関１０の暖機が完了するまでの間は、ラジエータ３２に冷却水を流通させないようにする。このため、冷却システム１Ａはスターリングエンジン２０の実効的な冷却を確保しつつ、内燃機関１０の暖機促進を図ることができる点でも、冷却水を好適に流通させることができる。【００３１】
冷却システム１Ａでは、サーモスタット３３が、暖機完了後に内燃機関１０に流通させる冷却水の温度が高くなる場合ほど、ラジエータ３２に流通させる冷却水の流量の割合を大きくする。そしてこれにより、サーモスタット３３が相対的に小さな流通抵抗として作用する。【００３２】
このため、冷却システム１Ａは内燃機関１０を冷却する必要性が高い場合に、内燃機関１０を適切に冷却できる。そして、同時にその余力でスターリングエンジン２０を冷却することができる。したがって、冷却システム１Ａは内燃機関１０を冷却する必要性が高い場合に内燃機関１０の冷却を確保しつつ、スターリングエンジン２０を冷却できる点でも、好適に流通させることができる。【００３３】
冷却システム１Ａでは、分岐通路部４３が形成する通路の断面積が、主通路部４１が形成する通路の断面積よりも小さく設定されている。このため、冷却システム１Ａは内燃機関１０およびスターリングエンジン２０に共通の冷却水を流通させるにあたり、内燃機関１０に優先的に冷却水を流通させることができる。結果、これにより内燃機関１０を冷却する必要性が高い場合に、内燃機関１０の冷却を確保できる点でも、冷却水を好適に流通させることができる。【００３４】
サーモスタット３３は電子制御弁であってもよい。この場合には、例えば内燃機関１０の冷却水温と負荷とに基づき、上述したのと同様にサーモスタット３３の作動を制御する電子制御装置をさらに備えることで、同様の作用効果を奏することができる。これは、以下の実施例についても同様である。
【実施例２】
【００３５】
図２は冷却システム１Ｂの概略構成図である。冷却システム１Ｂは絞り弁３４をさらに備えている点以外、冷却システム１Ａと実質的に同一である。絞り弁３４は分岐通路部４３に介在させるようにして設けられている。具体的には、絞り弁３４は分岐通路部４３のうち、スターリングエンジン２０よりも上流側の部分に介在させるようにして設けられている。絞り弁３４は流通する冷却水の流量を絞ることで、絞り弁３４を設けていない場合よりも、分岐通路部４３を流通する冷却水の流量を小さくする。【００３６】
次に冷却システム１Ｂの作用効果について説明する。ここで、例えば暖機完了後で内燃機関１０の負荷が小さい場合には、サーモスタット３３を相対的に大きな流通抵抗として作用させることで、次のようにして内燃機関１０の冷却を適切に行うことが考えられる。すなわち、ラジエータ３２に流通させる冷却水の流量の割合を相対的に小さくし、これによりラジエータ３２を介して流通する冷却水と、バイパス通路部４２を介して流通する冷却水とを混合して内燃機関１０に供給することで、内燃機関１０の冷却を適切に行うことが考えられる。【００３７】
ところがこの場合、分岐通路部４３の流通抵抗が小さいと、サーモスタット３３で制限しようとする流量を上回る流量の冷却水がラジエータ３２を流通し、その後、分岐通路部４３に流入する虞がある。結果、分岐通路部４３に流入した冷却水がその後、内燃機関１０に到達することで、内燃機関１０が過冷却される虞がある。【００３８】
これに対し、冷却システム１Ｂは絞り弁３４で分岐通路部４３を流通する冷却水の流量を小さくする。そしてこれにより、サーモスタット３３が相対的に大きな流通抵抗として作用する場合でも、内燃機関１０が過冷却されることを防止できる。このため、冷却システム１Ｂは冷却システム１Ａと比較して、さらにサーモスタット３３が相対的に大きな流通抵抗として作用する場合に内燃機関１０を適切に冷却できる点で、内燃機関１０およびスターリングエンジン２０に冷却水を好適に流通させることができる。
【実施例３】
【００３９】
図３は冷却システム１Ｃの概略構成図である。冷却システム１Ｃは、絞り弁３４の代わりに可変絞り弁３５を備えている点以外、冷却システム１Ｂと実質的に同一である。可変絞り弁３５は絞り弁３４と同様にして分岐通路部４３に設けられている。可変絞り弁３５は流通する冷却水の流量の絞り度合いを変更する。この点、可変絞り弁３５は冷却水の圧力に応じて作動する機械式の弁になっている。可変絞り弁３５は冷却水の温度に応じて作動する機械式の弁であってもよい。【００４０】
可変絞り弁３５は、サーモスタット３３が相対的に小さな流通抵抗として作用する場合ほど、大きな度合いで開弁することで、流通する冷却水の流量の絞り度合いを変更するように作動する。【００４１】
図４は冷却水の第１の流通態様を示す図である。図５は冷却水の第２の流通態様を示す図である。図６は冷却水の第３の流通態様を示す図である。図４は機関冷間時の流通態様、図５は内燃機関１０の負荷が軽中負荷である場合の流通態様、図６は内燃機関１０の負荷が高負荷である場合の流通態様を示す。図４、図５、図６において、主通路部４１、バイパス通路部４２または分岐通路部４３に重ねて示す矢印は、冷却水の流通態様を示す。また、矢印の太さは流量の大きさを示す。一方、破線で示す主通路部４１、バイパス通路部４２または分岐通路部４３は、冷却水が流通していない状態を示す。【００４２】
図４に示すように、機関冷間時にはポンプ３１から吐出された冷却水が、内燃機関１０を流通した後、主通路部４１を流通する。そして、主通路部４１を流通するすべての冷却水が途中でバイパス通路部４２に流入する。バイパス通路部４２に流入した冷却水は、サーモスタット３３を介して主通路部４１に再び流入し、ポンプ３１に戻る。したがって、このときラジエータ３２に冷却水は流通しない。同時に分岐通路部４３およびスターリングエンジン２０にも冷却水は流通しない。このとき前述の通り、ラジエータ３２に少量の冷却水を流通させてもよい。【００４３】
図５に示すように、内燃機関１０の負荷が軽中負荷である場合には、ポンプ３１から吐出された冷却水が、内燃機関１０を流通した後、主通路部４１を流通する。そして、主通路部４１を流通する冷却水の一部が途中でバイパス通路部４２に分流する。バイパス通路部４２に分流した冷却水は、サーモスタット３３を介して主通路部４１に再び流入し、ポンプ３１に戻る。【００４４】
一方、分流しなかった冷却水はラジエータ３２を流通する。そしてその後、その冷却水の一部が分岐通路部４３に分流する。分岐通路部４３に分流しなかった冷却水は、サーモスタット３３を介してポンプ３１に戻る。一方、分岐通路部４３に分流した冷却水は、可変絞り弁３５およびスターリングエンジン２０を流通した後、主通路部４１に再び流入し、ポンプ３１に戻る。このとき、可変絞り弁３５は相対的に小さな度合いで開弁しており、スターリングエンジン２０に必要以上に冷却水を流通させないようにしている。【００４５】
図６に示すように、例えば全負荷運転時など内燃機関１０の負荷が高負荷である場合には、ポンプ３１から吐出された冷却水が、内燃機関１０を流通した後、主通路部４１を流通する。そして、すべての冷却水がバイパス通路部４２に分流することなく、ラジエータ３２に流入する。ラジエータ３２を流通後、冷却水は分岐通路部４３に分流し、サーモスタット３３或いは分岐通路部４３を介してポンプ３１に戻る。このとき、可変絞り弁３５は相対的に大きな度合い（例えば全開）で開弁している。【００４６】
サーモスタット３３と可変絞り弁３５とは、内燃機関１０の運転状態に応じて、内燃機関１０に流通させる冷却水の流量と、スターリングエンジン２０に流通させる冷却水の流量との割合を変更可能な流量割合変更部に相当する。【００４７】
次に冷却システム１Ｃの作用効果について説明する。図７はスターリングエンジン２０入口の冷却水の温度Ｔｓ＿ｉｎと内燃機関１０の負荷との関係を示す図である。図７において、温度Ｔ１はラジエータ３２入口の冷却水温、温度Ｔ２は内燃機関１０入口の冷却水温、温度Ｔ３は外気温度を示す。温度Ｔ１は例えば１００℃、温度Ｔ２は例えば８０℃、温度Ｔ３は例えば４０℃である。【００４８】
冷却システム１Ｃでは、内燃機関１０の負荷が軽中負荷である場合に、サーモスタット３３が冷却水の一部をバイパス通路部４２に分流させることで、ラジエータ３２を流通する冷却水の流量を小さくする。また、このときサーモスタット３３が相対的に大きな流通抵抗として作用しても、可変絞り弁３５が相対的に小さな度合いで開弁する。【００４９】
このため、冷却システム１Ｃは内燃機関１０の負荷が軽中負荷である場合には、内燃機関１０の冷却に対し大きな余力を有するように冷却水を冷却することができる。また、ラジエータ３２で冷却された冷却水を内燃機関１０とスターリングエンジン２０とに流通させることができる。【００５０】
そしてこれにより、ラジエータ３２で冷却された冷却水とラジエータ３２をバイパスさせた冷却水とを混合し、内燃機関１０に流通させることで、温度Ｔ２を適温にすることができる。また、内燃機関１０の冷却に対し大きな余力を有するように冷却した冷却水をスターリングエンジン２０に流通させることで、温度Ｔｓ＿ｉｎを温度Ｔ２と比較して大幅に低下させることができる。【００５１】
冷却システム１Ｃでは、内燃機関１０の負荷が高負荷である場合に、サーモスタット３３がすべての冷却水をラジエータ３２に流通させる。また、このときサーモスタット３３が相対的に小さな流通抵抗として作用しても、可変絞り弁３５が相対的に大きな度合いで開弁する。【００５２】
このため、冷却システム１Ｃは内燃機関１０の負荷が高負荷である場合でも、ラジエータ３２で冷却された冷却水を内燃機関１０に優先的に流通させつつ、内燃機関１０の負荷が軽中負荷である場合よりも大きな流量でスターリングエンジン２０にも冷却水を流通させることができる。そしてこれにより、内燃機関１０の冷却を優先しつつ、スターリングエンジン２０を冷却することもできる。【００５３】
このように、冷却システム１Ｃは内燃機関１０の運転状態に応じて内燃機関１０およびスターリングエンジン２０に適切に冷却水を流通させることができる点で、冷却システム１Ｂと比較してさらに好適に冷却水を流通させることができる。【００５４】
可変絞り弁３５は電子制御弁であってもよい。この場合には、例えば内燃機関１０の冷却水温と負荷とに基づき、上述したのと同様に可変絞り弁３５の作動を制御する電子制御装置をさらに備えることで、同様の作用効果を奏することができる。【００５５】
以上、本発明の実施例について詳述したが、本発明はかかる特定の実施例に限定されるものではなく、特許請求の範囲に記載された本発明の要旨の範囲内において、種々の変形・変更が可能である。【００５６】
例えば抵抗部は可変絞り弁であってもよい。この場合でも、スターリングエンジンの実効的な冷却を確保できる。また、内燃機関に流通させる冷却媒体の温度が高くなる場合ほど、流通する冷却媒体の流量が大きくなるように絞りの度合いを変更することで、内燃機関を冷却する必要性が高い場合に内燃機関の冷却を確保しつつ、スターリングエンジンを冷却できる。
【符号の説明】
【００５７】
冷却システム            １Ａ、１Ｂ、１Ｃ
ポンプ                  ３１
ラジエータ              ３２
サーモスタット          ３３
主通路部                ４１
バイパス通路部          ４２
分岐通路部              ４３
【図１】
2012108030.tif 000003
【図２】
2012108030.tif 000004
【図３】
2012108030.tif 000005
【図４】
2012108030.tif 000006
【図５】
2012108030.tif 000007
【図６】
2012108030.tif 000008
【図７】
2012108030.tif 000009
【国際調査報告】
2012108030.tif 000010
2012108030.tif 000011